(57)【特許請求の範囲】
【請求項１】
手で握ることが可能な筒状又は柱状に延びる握り部材を備え、
前記握り部材は、前記握り部材の長手方向の略中央部に設けられる凹部であって手で握る際に中指が配置される部分のみが窪む凹部を有する、運動補助器具であって、
前記握り部材を立てた状態で人の前方で前記握り部材を握る場合に、前記握り部材の前方は人の前方に対応し、前記握り部材の後方は人の後方に対応し、前記凹部は、前記握り部材の前方に配置しており且つ前記握り部材の後方には配置されておらず、
前記運動補助器具は、前記握り部材の後方側の下部に配置される第１ウエイト部材を更に備える
運動補助器具。
【請求項２】
手で握ることが可能な筒状又は柱状に延びる握り部材を備え、
前記握り部材は、前記握り部材の長手方向の略中央部に設けられる凹部であって手で握る際に中指が配置される部分のみが窪む凹部を有する、運動補助器具であって、
前記握り部材を立てた状態で人の前方で前記握り部材を握る場合に、前記握り部材の前方は人の前方に対応し、前記握り部材の後方は人の後方に対応し、前記凹部は、前記握り部材の前方に配置しており且つ前記握り部材の後方には配置されておらず、
前記運動補助器具は、前記握り部材の後方側に配置される第２ウエイト部材であって前記握り部材の長手方向に延びる第２ウエイト部材を更に備える
運動補助器具。
【請求項３】
手で握ることが可能な筒状又は柱状に延びる握り部材を備え、
前記握り部材は、前記握り部材の長手方向の略中央部に設けられる凹部であって手で握る際に中指が配置される部分のみが窪む凹部を有する、運動補助器具であって、
前記握り部材を立てた状態で人の前方で前記握り部材を握る場合に、前記握り部材の前方は人の前方に対応し、前記握り部材の後方は人の後方に対応し、前記握り部材の外方は、人の左右方向のいずれか一方の外方に対応し、前記凹部は、前記握り部材の前方に配置しており且つ前記握り部材の後方には配置されておらず、
前記運動補助器具は、前記握り部材の一方の外方側の側部に配置される第３ウエイト部材であって前記握り部材の長手方向に延びる第３ウエイト部材を更に備える
運動補助器具。
【請求項４】
手で握ることが可能な筒状又は柱状に延びる握り部材を備え、
前記握り部材は、前記握り部材の長手方向の略中央部に設けられる凹部であって手で握る際に中指が配置される部分のみが窪む凹部を有する、運動補助器具であって、
前記握り部材を立てた状態で人の前方で前記握り部材を握る場合に、前記握り部材の前方は人の前方に対応し、前記握り部材の後方は人の後方に対応し、前記凹部は、前記握り部材の前方に配置しており且つ前記握り部材の後方には配置されておらず、
前記運動補助器具は、前記握り部材を立てた状態で人の前方で前記握り部材を握る場合に、前記凹部よりも下方の位置であって薬指と小指との間に配置される突出部を更に備える
運動補助器具。
【請求項５】
手で握ることが可能な筒状又は柱状に延びる握り部材を備え、
前記握り部材は、前記握り部材の長手方向の略中央部に設けられる凹部であって手で握る際に中指が配置される部分のみが窪む凹部を有する、運動補助器具であって、
前記握り部材を立てた状態で人の前方で前記握り部材を握る場合に、前記握り部材の前方は人の前方に対応し、前記握り部材の後方は人の後方に対応し、前記凹部は、前記握り部材の前方に配置しており且つ前記握り部材の後方には配置されておらず、
前記運動補助器具は、前記握り部材の後方側に配置されるホルダーであって上方へ立てた状態の親指を覆うホルダーを更に備える
運動補助器具。
【請求項６】
前記運動補助器具は、前記ホルダーの後方側に配置される第４ウエイト部材を更に備える
請求項５に記載の運動補助器具。
【発明の詳細な説明】
【技術分野】
【０００１】
本発明は、ジョギングやウォーキングなどに用いる運動補助器具に関する。
【背景技術】
【０００２】
従来、ジョギング（走行）やウォーキング（歩行）などに用いる運動補助器具として、表面に凹凸を有するバトン形状のグリップを備えるものが知られている（例えば、特許文献１参照）。特許文献１に記載のグリップは、一端から他端に向かうにしたがって細くなる筒状に形成されている。特許文献１に記載のグリップは、握る際に５本の指の形に合うような凹凸を有している。特許文献１に記載のグリップは、凹凸を有するグリップを握った状態で走行をすることで、身体のバランスの偏りを少なくことにより、よりよいフォームで走ることができるとされている。
【０００３】
ところで、従来より、ジョギング（走行）やウォーキング（歩行）などにおいて、腕の正しい振り方が、走り方及び歩き方に影響を与えることが知られている。腕を正しく振ることができ、かつ、腕の振り方を安定させることができれば、安定した走行や歩行を実現することができると考えられる。
【先行技術文献】
【特許文献】
【０００４】
【特許文献１】実用新案登録第３０８７２２１号公報
【発明の概要】
【発明が解決しようとする課題】
【０００５】
しかしながら、特許文献１に記載の運動補助器具においては、身体のバランスの偏りに着目しており、腕の振り方については着目していない。そのため、走行や歩行の際に、腕を正しく振ることができ、かつ、腕の振り方を安定させることができる運動補助器具が望まれている。
【０００６】
本発明は、走行や歩行の際に、腕を正しく振ることができ、かつ、腕の振り方を安定させることができる運動補助器具を提供することを目的とする。
【課題を解決するための手段】
【０００７】
本発明は、手で握ることが可能な筒状又は柱状に延びる握り部材を備え、前記握り部材は、手で握る際に中指が配置される部分のみが窪む凹部を有する運動補助器具に関する。
【０００８】
また、前記握り部材を立てた状態で人の前方で前記握り部材を握る場合に、前記握り部材の前方は人の前方に対応し、前記握り部材の後方は人の後方に対応しており、前記運動補助器具は、前記握り部材の後方側の下部に配置される第１ウエイト部材を更に備えることが好ましい。
【０００９】
また、前記握り部材を立てた状態で人の前方で前記握り部材を握る場合に、前記握り部材の前方は人の前方に対応し、前記握り部材の後方は人の後方に対応しており、前記運動補助器具は、前記握り部材の後方側に配置されると共に、前記握り部材の長手方向に延びる第２ウエイト部材を更に備えることが好ましい。
【００１０】
また、前記握り部材を立てた状態で人の前方で前記握り部材を握る場合に、前記握り部材の前方は人の前方に対応し、前記握り部材の後方は人の後方に対応し、前記握り部材の外方は、人の左右方向のいずれか一方の外方に対応しており、前記運動補助器具は、前記握り部材の一方の外方側の側部に配置されると共に、前記握り部材の長手方向に延びる第３ウエイト部材を更に備えることが好ましい。
【００１１】
また、前記握り部材を握る場合に、薬指と小指との間に配置される突出部を更に備えることが好ましい。
【００１２】
また、前記握り部材を立てた状態で人の前方で前記握り部材を握る場合に、前記握り部材の前方は人の前方に対応し、前記握り部材の後方は人の後方に対応しており、前記運動補助器具は、前記握り部材の後方側に配置されると共に上方へ立てた状態の親指を覆うホルダーを更に備えることが好ましい。
【００１３】
また、前記運動補助器具は、前記ホルダーの後方側に配置される第４ウエイト部材を更に備えることが好ましい。
【発明の効果】
【００１４】
本発明によれば、走行や歩行の際に、腕を正しく振ることができ、かつ、腕の振り方を安定させることができる運動補助器具を提供することができる。
【図面の簡単な説明】
【００１５】
【図１】本発明の第１実施形態の運動補助器具１の左手用のグリップ体２ａを示す斜視図である。
【図２】グリップ体２ａの分解斜視図である。
【図３】グリップ体２ａを、図２とは異なる角度から視た分解斜視図である。
【図４】（ａ）は図１に示すグリップ体２ａを第２方向Ｄ２（左右方向）のマイナス側（左手用のグリップ体２ａの内方側）から視た図であり、（ｂ）は図１に示すグリップ体２ａを第１方向Ｄ１（前後方向）のプラス側（前方側）から視た図であり、（ｃ）は図１に示すグリップ体２ａを第２方向Ｄ２（左右方向）のプラス側（左手用のグリップ体２ａの外方側）から視た図であり、（ｄ）は図１に示すグリップ体２ａを第１方向Ｄ１（前後方向）のマイナス側（後方側）から視た図である。
【図５】グリップ体２ａの握り方を説明するための図であって、握り部材３の凹溝３１へ中指を配置する状態を説明する図である。
【図６】グリップ体２ａの握り方を説明するための図であって、親指をグリップ体２ａに配置する状態を説明する図である。
【図７】第１ウエイト部材４の作用を説明するための図である。
【図８】第２ウエイト部材５の作用を説明するための図である。
【図９】第３ウエイト部材６の作用を説明するための図である。
【図１０】第１ウエイト部材４と第３ウエイト部材６とを併せて備えることで奏される作用を説明するための図である。
【図１１】突起部材７の作用を説明するための図である。
【図１２】本発明の第２実施形態の運動補助器具１Ａの左手用のグリップ体２ａを示す斜視図である。
【図１３】第４ウエイト部材９の作用を説明するための図である。
【発明を実施するための形態】
【００１６】
適宜図面を参照しつつ、本発明に係る第１実施形態の運動補助器具１について具体的に説明する。図１は、本発明の第１実施形態の運動補助器具１の左手用のグリップ体２ａを示す斜視図である。図２は、グリップ体２ａの分解斜視図である。図３は、グリップ体２ａを、図２とは異なる角度から視た分解斜視図である。図４において、（ａ）は図１に示すグリップ体２ａを第２方向Ｄ２（左右方向）のマイナス側（左手用のグリップ体２ａの内方側）から視た図であり、（ｂ）は図１に示すグリップ体２ａを第１方向Ｄ１（前後方向）のプラス側（前方側）から視た図であり、（ｃ）は図１に示すグリップ体２ａを第２方向Ｄ２（左右方向）のプラス側（左手用のグリップ体２ａの外方側）から視た図であり、（ｄ）は図１に示すグリップ体２ａを第１方向Ｄ１（前後方向）のマイナス側（後方側）から視た図である。
【００１７】
本発明に係る運動補助器具１は、短距離走やジョギング等の走行やウォーキング等の歩行などに用いられる。運動補助器具１は、左右一対のグリップ体２を備える。一対のグリップ体２は、左手用及び右手用の一対で構成される。運動補助器具１２は、通常使用する際には、左手用のグリップ体２ａ及び右手用のグリップ体２ｂが同時に使用される。本実施形態における図１〜図４に示すグリップ体２ａは、左手用について説明している。以下に説明する左手用のグリップ体２ａを構成する各構成部材は、右手用のグリップ体２ｂを構成する各構成部材とは、左右対称である。なお、右手用のグリップ体２ｂは、図８〜図１１において図示しているが、図１〜図７においては、図示を省略している。
【００１８】
左手用のグリップ体２ａは、図１〜図４に示すように、左手用の握り部材３（握り部材）と、第１ウエイト部材４と、第２ウエイト部材５と、第３ウエイト部材６と、突起部材７（突出部）と、を備える。
【００１９】
なお、図面において、握り部材３が延びる方向を長手方向Ｌという。また、グリップ体２ａの第１方向Ｄ１及び第２方向Ｄ２を規定する。第１方向Ｄ１及び第２方向Ｄ２は、互いに直交する。第１方向Ｄ１及び第２方向Ｄ２は、それぞれ、長手方向Ｌに直交する。第１方向Ｄ１は、握り部材３の前後方向であって、握り部材３を立てた状態で人の前方で握り部材３を握る場合（図５参照）において、握り部材３を握る人から視た場合の人の前後方向に対応する方向である。第１方向Ｄ１において、プラス（＋）側は人の前方側に対応し、マイナス（−）側は人の後方側に対応する。
【００２０】
第２方向Ｄ２は、握り部材３の左右方向であって、握り部材３を立てた状態で人の前方で握り部材３を握る場合（図５参照）において、握り部材３を握る人から視た場合の人の左右方向に対応する方向である。
第２方向Ｄ２のプラス（＋）側は、握り部材３の一方の外方側であって、人の左右方向のいずれか一方の外方側に対応する。具体的には、第２方向Ｄ２（左右方向）のプラス（＋）側（外方側）は、左手用の握り部材３を握った場合には、左手用の握り部材３を基準として左側である。また、第２方向Ｄ２（左右方向）のプラス（＋）側（外方側）は、右手用の握り部材３を握った場合には、右手用の握り部材３を基準として右側である。
第２方向Ｄ２のマイナス（−）側は、握り部材３の一方の内方側であって、人の左右方向のいずれか一方の内方側に対応する。具体的には、第２方向Ｄ２（左右方向）のマイナス（−）側（内方側）は、左手用の握り部材３を握った場合には、左手用の握り部材３を基準として右側である。また、第２方向Ｄ２（左右方向）のマイナス（−）側（内方側）は、右手用の握り部材３を握った場合には、右手用の握り部材３を基準として左側である。
なお、グリップ体２ａは人に握られた状態で振られるため、グリップ体２ａの位置により、握り部材３を握る人から視た場合のグリップ体２ａの向きは変化する。
【００２１】
握り部材３は、図１〜図４に示すように、長手方向Ｌに延びる。握り部材３は、左手で握ることが可能な筒状又は柱状に形成される。本実施形態においては、握り部材３は、略円筒状又は略円柱状である。なお、握り部材３は、略円筒状又は略円柱状に限定されず、例えば、多角筒状又は多角柱状であってもよい。
【００２２】
握り部材３の太さは、握り部材３の周方向に沿って指を延ばした状態で、握り部材３を握ることが可能な太さである。握り部材３の材料は、軽い素材であることが好ましく、例えば、プラスチック材や段ボール材などで構成される。また、握り部材３の材質は、手になじみ易い素材が好ましい。
【００２３】
握り部材３には、凹溝３１（凹部）が設けられる。凹溝３１は、長手方向Ｌの略中央部において、第１方向Ｄ１（前後方向）のプラス側（前方側）の面に、第２方向Ｄ２（左右方向）に延びる溝状に形成される。凹溝３１は、握り部材３を手で握る際に、握り部材３において、中指が配置される部分のみが窪む部分である。凹溝３１の溝の幅は、中指を配置可能な幅である。
【００２４】
握り部材３は、図２に示すように、第１ウエイト取付部３２と、第２ウエイト取付部３３と、第３ウエイト取付部３４と、突起取付部３５と、を有する。第１ウエイト取付部３２及び第２ウエイト取付部３３は、握り部材３における第１方向Ｄ１（前後方向）のマイナス側（後方側）の側部に平面状に形成される。第３ウエイト取付部３４は、握り部材３における第２方向Ｄ２（左右方向）のプラス側（外方側）の側部に平面状に形成される。
【００２５】
第１ウエイト取付部３２には、後述する第１ウエイト部材４が取り付けられる。第１ウエイト取付部３２は、握り部材３における第１方向Ｄ１（前後方向）のマイナス側（後方側）の平面である。第１ウエイト取付部３２は、握り部材３における長手方向Ｌの略中央から下方側の略半分の平面により構成される。第１ウエイト取付部３２は、後述する第２ウエイト取付部３３よりも一段低い平面である。
【００２６】
第２ウエイト取付部３３には、後述する第２ウエイト部材５が取り付けられる。第２ウエイト取付部３３は、握り部材３における第１方向Ｄ１（前後方向）のマイナス側（後方側）の平面である。第２ウエイト取付部３３は、握り部材３における長手方向Ｌの略中央から上方側の略半分の平面により構成される。第２ウエイト取付部３３は、第１ウエイト取付部３２よりも一段高い平面である。
【００２７】
第３ウエイト取付部３４には、後述する第３ウエイト部材６が取り付けられる。第３ウエイト取付部３４は、握り部材３における第２方向Ｄ２（左右方向）のプラス側（外方側）の平面である。第３ウエイト取付部３４は、長手方向Ｌの全域に亘って延びる平面である。
【００２８】
突起取付部３５は、後述する突起部材７が取り付けられる。突起取付部３５に取り付けられる突起部材７は、握り部材３を握る場合に薬指と小指との間に配置される。突起取付部３５は、図２に示すように、握り部材３における第１方向Ｄ１（前後方向）のプラス側（前方側）の外周面において、下方側における第３ウエイト取付部３４寄りに設けられる所定範囲の曲面である。
【００２９】
第１ウエイト部材４、第２ウエイト部材５及び第３ウエイト部材６は、握り部材３のバランス調整用の重りである。第１ウエイト部材４、第２ウエイト部材５及び第３ウエイト部材６は、握り部材３の材料よりも比重が大きい材料、例えば金属などで構成される。
【００３０】
第１ウエイト部材４、第２ウエイト部材５及び第３ウエイト部材６は、図１〜図４に示すように、それぞれ、握り部材３に対して着脱可能に構成される。第１ウエイト部材４、第２ウエイト部材５及び第３ウエイト部材６は、それぞれ、重量を選択して設定可能である。第１ウエイト部材４、第２ウエイト部材５及び第３ウエイト部材６は、重量及び組み合わせを適宜選択して設定可能である。
【００３１】
第１ウエイト部材４は、握り部材３の第１ウエイト取付部３２に取り付けられる。第１ウエイト部材４は、握り部材３における第１方向Ｄ１（前後方向）のマイナス側（後方側）の第１ウエイト取付部３２の平面において、下方側の略半分に取り付けられる。第１ウエイト部材４は、握り部材３の長手方向Ｌに延びる。第１ウエイト部材４は、長手方向Ｌ及び第２方向Ｄ２（左右方向）に平行な板部材である。
【００３２】
第２ウエイト部材５は、第１ウエイト部材４が握り部材３に取り付けられた後に、第１ウエイト部材４における第１方向Ｄ１（前後方向）のマイナス側（後方側）の面と、第２ウエイト取付部３３の平面とに跨って、取り付けられる。第２ウエイト部材５は、握り部材３の長手方向Ｌの全域に亘って延びる。第２ウエイト部材５は、長手方向Ｌ及び第２方向Ｄ２（左右方向）に平行な板部材である。
【００３３】
第３ウエイト部材６は、握り部材３の第３ウエイト取付部３４に取り付けられる。第３ウエイト部材６は、握り部材３における第２方向Ｄ２（左右方向）のプラス側（外方側）の第３ウエイト取付部３４に取り付けられる。第３ウエイト部材６は、握り部材３の長手方向Ｌに延びる。第３ウエイト部材６は、長手方向Ｌ及び第１方向Ｄ１（前後方向）に平行な板部材である。
【００３４】
突起部材７は、握り部材３に対して、着脱可能に構成される。例えば、突起部材７は、嵌合凸部（図示せず）を有し、握り部材３は、嵌合凹部（図示せず）を有する。突起部材７の嵌合凸部が握り部材３の嵌合凹部に嵌め合わされることで、突起部材７は、握り部材３に対して、着脱可能な構成となる。
【００３５】
突起部材７は、突起取付部３５に取り付けられる。突起部材７は、握り部材３の外面から外部に向けて突出している。突起部材７は、握り部材３を握る場合に薬指と小指との間に配置される。突起部材７は、握り部材３における第１方向Ｄ１（前後方向）のプラス側（前方側）において、第２方向Ｄ２（左右方向）のプラス側（外方側）の下方における第３ウエイト部材６寄りの突起取付部３５に配置される。突起部材７は、後述する水平動作モードで運動補助器具１を使用する際に装着され、オプション部材として使用される。
【００３６】
次に、運動補助器具１の使用方法及び各部材の作用について、図面を参照しながら説明する。図５は、グリップ体２ａの握り方を説明するための図であって、握り部材３の凹溝３１へ中指を配置する状態を説明する図である。図６は、グリップ体２ａの握り方を説明するための図であって、親指をグリップ体２ａに配置する状態を説明する図である。図７は、第１ウエイト部材４の作用を説明するための図である。図８は、第２ウエイト部材５の作用を説明するための図である。図９は、第３ウエイト部材６の作用を説明するための図である。図１０は、第１ウエイト部材４と第３ウエイト部材６とを併せて備えることで奏される作用を説明するための図である。図１１は、突起部材７の作用を説明するための図である。
【００３７】
まず、運動補助器具１の使用方法について説明する。運動補助器具１のグリップ体２を握る際には、図５及び図６に示すように、中指を握り部材３の凹溝３１に配置する。同時に、図６に示すように、親指を立てた状態で親指の付け根（拇指球）の部分から先端の部分までを第２ウエイト部材５にあてがうようにして、第２ウエイト部材５に、親指を接触させる。この状態で、グリップ体２を握る。
【００３８】
また、後述する水平動作モードで運動補助器具１を使用する際には、オプション部材として突起部材７を握り部材３に取り付け、突起部材７を薬指と小指との間に配置した状態で、グリップ体２を握る（図１１参照）。
【００３９】
ジョギング等の走行をする際やウォーキング等の歩行をする際に、両手それぞれでグリップ体２を握った状態で、腕を前後方向に振る。これにより、両手それぞれに握られたグリップ体２は、前後方向に振られる。
ここで、運動補助器具１の主な特徴的な構造について、走行をする際や歩行をする際における腕の振り方への作用について説明する。
【００４０】
握り部材３の凹溝３１の作用について説明する。
本発明の運動補助器具１を使用しないで走行又は歩行する場合には、本発明の運動補助器具１を使用する場合に比べて、次に説明する第１の走行状態、第２の走行状態、第３の走行状態及び第４の走行状態のように、走行又は歩行が安定しないことがある。
【００４１】
第１の走行状態は、何も器具を使用せずに、拳を強く握った状態で、肘を引いて走行又は歩行する状態である。第１の走行状態においては、拳を強く握っているため、拳が安定しており、腕を上下方向に動かしやすい。しかし、第１の走行状態においては、拳に力が入り、脇が締まりすぎた状態となるため、真後ろに肘を大きく引きにくい状態となる。そのため、腕を後ろに引きにくく、走行が不安定になりやすい。
【００４２】
第２の走行状態は、何も器具を使用せずに、人差し指のみに力を入れて折り曲げると共に、人差し指以外の指を開いた状態で、走行又は歩行する状態である。第２の走行状態においては、手の掌底（手のひらの下部）が下を向き、脇が開いた状態となる。そのため、脇が開いた状態で腕が前後方向に振られるため、走行が不安定になりやすい。
【００４３】
第３の走行状態は、何も器具を使用せずに、小指又は薬指にのみに力を入れて折り曲げると共に、その他の折り曲げた指以外の指を開いた状態で、走行又は歩行する状態である。第３の走行状態においては、手の掌底（手のひらの下部）が上を向き、脇が開いた状態となる。そのため、脇が開いた状態で腕が前後方向に振られるため、走行が不安定になりやすい。
【００４４】
第４の走行状態は、周面に凹凸を有さない円筒状の通常のバトンを使用して、そのバトンを握って、走行又は歩行する状態である。第４の走行状態においては、凹凸を有さないバトンの周面上に複数の指が並んで配置されるため、各指の力の加減がバラバラとなり、安定性に欠ける。また、第４の走行状態においては、腕が動く度にその指の力のバランスが変化するため、手首が左右に不規則に動きやすくなる。そのため、走行が不安定になりやすい。
【００４５】
このように、第１の走行状態、第２の走行状態、第３の走行状態及び第４の走行状態は、走行が不安定になりやすい。これに対して、本発明の構成によれば、凹溝３１に中指を配置した状態で、握り部材３を握ることができる。これにより、脇が締まった状態で腕を前後方向に振ることができる。また、拳を人体の真横に沿わせた状態で腕を上下方向に振ることができる。また、腕を振る際に、肘を真後ろに大きく引くことができる。
【００４６】
次に、第１ウエイト部材４、第２ウエイト部材５及び第３ウエイト部材６の作用について説明する。ここで、第１ウエイト部材４、第２ウエイト部材５及び第３ウエイト部材６の作用の説明においては、握り部材３には、第１ウエイト部材４、第２ウエイト部材５及び第３ウエイト部材６が取り付けられている状態で説明する。なお、第１ウエイト部材４、第２ウエイト部材５及び第３ウエイト部材６の作用の説明においては、握り部材３には、突起部材７は取り付けられていない。
【００４７】
まず、第１ウエイト部材４の作用について説明する。
第１ウエイト部材４は、握り部材３の前後方向（第１方向Ｄ１）の後方側（マイナス側）の下部に配置される。図７に示すように、第１ウエイト部材４は、握り部材３の後方側の下部において、低い重心となる。第１ウエイト部材４が握り部材３の低い重心となり、グリップ体２を両手に握って前後方向に振ることで、腕は、肩を中心軸として、スイングされる。ここで、例えば、ブランコがスイングされる場合には、図７に示すように、ブランコに乗る人の重心が低い位置にあるために、ブランコは、大きく速いスイングとなる。これと同様に、本発明においては、第１ウエイト部材４が握り部材３の後方側の下部に配置されるため、ブランコがスイングされるように、第１ウエイト部材４の低い重心により、腕の振りを大きく強くすることができる。
【００４８】
次に、第２ウエイト部材５の作用について説明する。
第２ウエイト部材５は、握り部材３の前後方向（第１方向Ｄ１）の後方側（マイナス側）に配置されると共に、握り部材３の長手方向Ｌに延びる。ここで、縦長の重量構造物は、上下方向の運動において安定度が高い。これと同様に、図８に示すように、本発明においては、握り部材３が第２ウエイト部材５を備えるため、上下方向の運動を安定させることができる。これにより、第２ウエイト部材５は、人が走行又は歩行する場合に、グリップ体２を振る際に、上下方向の運動を安定させることができる。
【００４９】
また、親指を立てた状態で第２ウエイト部材５に親指を接触させて、グリップ体２を握っている。そのため、肘をより大きく後方に引くことができる。
【００５０】
次に、第３ウエイト部材６の作用について説明する。
第３ウエイト部材６は、握り部材３における人の左右方向（第２方向Ｄ２）の外方側（プラス側）の側部に配置されると共に、握り部材３の長手方向Ｌに延びる。図９に示すように、グリップ体２を両手に握って前後方向に振ることで、第３ウエイト部材６が人体の左右方向（第２方向Ｄ２）の外方側（プラス側）に配置されるため、グリップ体２には、人体の外側から内側に向かう力が作用する。これにより、人体には脇を締める力が作用する。よって、両腕が平行になるように、腕が前後方向に振られる。その結果、平行な一対のレール上に沿うように両腕が振られるため、人体の直進安定性を高めることができる。
【００５１】
次に、第１ウエイト部材４と第３ウエイト部材６とを併せて備えることで奏される作用について説明する。
本発明においては、第１ウエイト部材４と第３ウエイト部材６とを併せて備える。そのため、図１０に示すように、走行又は歩行の際に、人の進行方向の左右の両側において、握り部材３の上方端が下方端よりも人体の内方側に位置するように、左右のグリップ体２は、ほぼハの字に配置される。詳細には、左右のグリップ体２は、下方から上方に向かうにしたがって間隔が近づくように、ほぼハの字に傾斜している。
【００５２】
ここで、例えば、車の直進安定性を高めるために、タイヤをトーインに設定する場合がある。タイヤのトーインの設定とは、左右のタイヤを上方から視た場合に、左右のタイヤの先端が内方側に向くように、ほぼハの字に傾斜させた設定である。タイヤのトーインの設定は、進行方向側が狭くなるようにタイヤが配置されており、車の直進安定性を高める設定の一つである。このため、タイヤをトーインに設定する場合と同様に、本発明においては、走行又は歩行の際に、左右のグリップ体２において、図１０に示すように、上方端が下方端よりも人体の内方側に位置するように配置された状態で、腕が振られる。これにより、人体の直進安定性を高めることができる。
【００５３】
次に、突起部材７の作用について説明する。突起部材７は、後述する水平動作モードで運動補助器具１を使用する際に装着され、オプション部材として使用される。突起部材７の作用の説明においては、握り部材３には、第１ウエイト部材４、第２ウエイト部材５、第３ウエイト部材６及び突起部材７が取り付けられている状態で説明する。
【００５４】
突起部材７は、グリップ体２を握る際に、薬指と小指との間に配置される。そのため、薬指と小指との間に突起部材７を配置して薬指と小指との間を広げた状態で、グリップ体２を握ることができる。そして、図１１に示すように、薬指と小指との間を広げた状態で腕に力が入ることにより、突起部材７（薬指及び小指の間の部分）と肘とは、水平方向の前後方向に直線的に結ばれて固定される。突起部材７（薬指及び小指の間の部分）と肘とを固定した状態で、腕を前後方向に水平状態で直線的に振ること（腕の水平動作）を繰り返すことで、脇の下や脇腹に大きな力が加わり、脇の下から脇腹にかけて力が作用する。よって、突起部材７を備えることにより、腕の水平動作を行いやすくなり、両脇から脇腹にかけて力が作用することを促進させることができる。
【００５５】
なお、突起部材７（薬指及び小指の間の部分）と肘とを固定した状態で、腕を前後方向に水平状態で直線的に振るという動作（腕の水平動作）は、日常動作では得られない動作である。そのため、突起部材７を備えることにより、日常動作では得られない動作を容易に実現して、両脇から脇腹にかけて力が作用することを促進させることができる。
【００５６】
以上に説明した本実施形態の運動補助器具１によれば、例えば、次のような効果が奏される。
第１実施形態においては、両手それぞれで握ることが可能な筒状又は柱状に延びる一対の握り部材３を備え、握り部材３は、手で握る際に中指が配置される部分のみが窪む凹溝３１を有する。そのため、中指を凹溝３１に配置して握り部材３を握ると、脇が締まった状態で腕を前後方向に振ることができる。また、拳を人体の真横に沿わせた状態で腕を上下方向に振ることができる。また、腕を振る際に、肘を真後ろに大きく引くことができる。その結果、腕を正しく振ることができ、かつ、腕の振り方を安定させることができる。
【００５７】
また、本実施形態においては、握り部材３を立てた状態で前方で握る場合に、握り部材３の前後方向（第１方向Ｄ１）の後方側（マイナス側）の下部に配置される第１ウエイト部材４を更に備える。そのため、第１ウエイト部材４が握り部材３の後方側の下部に配置されるため、ブランコがスイングされるように、第１ウエイト部材４の低い重心によるスイングにより、腕の振りを徐々に大きく強くすることができる。これにより、腕を正しく振ることができ、かつ、腕の振り方を安定させることができる。
【００５８】
また、本実施形態においては、握り部材３を立てた状態で前方で握る場合に、握り部材３の前後方向（第１方向Ｄ１）の後方側（マイナス側）に配置されると共に、握り部材３の長手方向Ｌに延びる第２ウエイト部材５を更に備える。そのため、第２ウエイト部材５は、人が走行又は歩行する場合に、握り部材３を振る際に、上下方向の運動を安定させることができる。これにより、腕を正しく振ることができ、かつ、腕の振り方を安定させることができる。
【００５９】
また、親指を立てた状態で第２ウエイト部材５に親指を接触させて、グリップ体２を握っている。そのため、肘をより大きく後方に引くことができる。
【００６０】
また、本実施形態においては、握り部材３を立てた状態で前方で握る場合に、握り部材３における人体の左右方向（第２方向Ｄ２）の外方側（プラス側）の側部に配置されると共に、握り部材３の長手方向Ｌに延びる第３ウエイト部材６を更に備える。そのため、握り部材３には、人体の外側から内側に向かう力が作用する。これにより、人体には脇を締める力が作用する。よって、両腕が平行になるように、腕が前後方向に振られる。その結果、平行なレール上を沿うように両腕が振られるため、人体の直進安定性を高めることができる。
【００６１】
また、本実施形態においては、第１ウエイト部材４と第３ウエイト部材６とを併せて備える。このため、走行又は歩行の際に、左右の握り部材３において、上方端が下方端よりも人体の内方側に位置するように配置された状態で、腕が振られる。これにより、人体の直進安定性を高めることができる。よって、直進安定性を高めることができる。その結果、腕を正しく振ることができ、かつ、腕の振り方を安定させることができる。
【００６２】
また、本実施形態においては、握り部材３を握る場合に、薬指と小指との間に配置される突起部材７を更に備える。そのため、薬指と小指との間に突起部材７を配置して薬指と小指との間を広げた状態で、グリップ体２を握ることができる。突起部材７（薬指及び小指の間の部分）と肘とを固定した状態で、腕を前後方向に水平状態で直線的に振ること（腕の水平動作）を繰り返すことで、脇の下から脇腹にかけて力が作用する。よって、腕の水平動作を行いやすくなり、両脇から脇腹にかけて力が作用することを促進させることができる。
【００６３】
次に、本発明の第２実施形態における運動補助器具１Ａについて説明する。第２実施形態においては、第１実施形態と異なる点について説明する。第２実施形態で説明しない点については、第１実施形態の説明が援用される。図１２は、本発明の第２実施形態の運動補助器具１Ａの左手用のグリップ体２ａを示す斜視図である。図１３は、第４ウエイト部材９の作用を説明するための図である。
【００６４】
第２実施形態の運動補助器具１Ａは、第１実施形態の運動補助器具１と比べて、ホルダー８及び第４ウエイト部材９を備える点と、突起部材７を備えない点とにおいて、第１実施形態の運動補助器具１とは異なる。
第２実施形態の運動補助器具１Ａは、図１２に示すように、第１実施形態の運動補助器具１の構成と比べて、突起部材７（図１参照）を備えずに、ホルダーとしての親指ホルダー８と、第４ウエイト部材９と、を更に備える。
【００６５】
親指ホルダー８は、図１２に示すように、握り部材３の上方側において、握り部材３の前後方向（第１方向Ｄ１）の後方側（マイナス側）に配置される。親指ホルダー８は、上方へ立てた状態の親指を覆う。親指ホルダー８は、握り部材３に対して、着脱可能である。親指ホルダー８の材質は、親指を傷つけないように、安全性を有する素材である。
【００６６】
親指ホルダー８は、上方側から視た場合に、断面がＵ字状であり、長手方向Ｌに延びる。親指ホルダー８において、Ｕ字形状の開放端は、握り部材３の後部に取り付けられている。親指ホルダー８は、図１３に示すように、上方へ立てた状態の親指を第２ウエイト部材５に接触させてグリップ体２ａを握っている状態において、親指における第２ウエイト部材５と反対側（握り部材３の前後方向（第１方向Ｄ１）の後方側（マイナス側））の表面を覆っている。これにより、親指ホルダー８は、親指を、握り部材３（本実施形態では、第２ウエイト部材３）から大きく離れさせない機能を有している。
【００６７】
第４ウエイト部材９は、図１２に示すように、握り部材３の上方側に取り付けられている。第４ウエイト部材９は、親指ホルダー８の前後方向（第１方向Ｄ１）の後方側（マイナス側）に、親指ホルダー８の長手方向Ｌの全域に亘って取り付けられている。第４ウエイト部材９は、長手方向Ｌ及び第２方向Ｄ２（左右方向）に平行な板部材である。第４ウエイト部材９は、異なる重量のものに交換可能である。
【００６８】
親指ホルダー８の作用について説明する。
親指ホルダー８は、握り部材３の前後方向（第１方向Ｄ１）の後方側（マイナス側）に配置されると共に上方へ立てた状態の親指を覆う。そのため、図１３に示すように、親指ホルダー８は、親指を、握り部材３（本実施形態では、第２ウエイト部材３）から大きく離れさせない。これにより、握り部材３の握りが安定して、肘をより大きく後方に引くことができる。
【００６９】
次に、第４ウエイト部材９の作用について説明する。
第４ウエイト部材９は、親指ホルダー８の前後方向（第１方向Ｄ１）の後方側（マイナス側）に配置される。そのため、図１３に示すように、一方側に第１ウエイト部材４を載せ且つ他方側に第４ウエイト部材９を載せたシーソーのように、親指の付け根を中心として、上方側に加速しながら回動する動作及び下方側に加速しながら回動する動作が繰り返される。これにより、腕を前後方向へ容易に振ることができる。その結果、腕の前後方向の振りのスピードを速くすることができる。
【００７０】
以上に説明した第２実施形態の運動補助器具１Ａによれば、上記第１実施形態の運動補助器具１の効果に加えて、例えば、次のような効果が奏される。
第２実施形態の運動補助器具１Ａは、運動補助器具１Ａ、握り部材３の前後方向（第１方向Ｄ１）の後方側（マイナス側）に配置されると共に親指を上方へ立てた状態で親指を覆う親指ホルダー８を更に備える。そのため、親指ホルダー８は、親指を、握り部材３側（本実施形態では、第２ウエイト部材３）から大きく離れさせない。これにより、握り部材３の握りが安定して、肘をより大きく後方に引くことができる。
【００７１】
また、本実施形態においては、運動補助器具１Ａは、親指ホルダー８の前後方向（第１方向Ｄ１）の後方側（マイナス側）に配置される第４ウエイト部材９を更に備える。そのため、親指の付け根を中心として、上方側に加速しながら回動する動作及び下方側に加速しながら回動する動作が繰り返される。これにより、腕を前後方向へ容易に振ることができる。その結果、腕の前後方向の振りのスピードを速くすることができる。
【００７２】
以上、本発明の好適な実施形態について説明したが、本発明は、上述した実施形態に限定されることなく、種々の形態で実施することができる。
例えば、前記第１実施形態においては、第１ウエイト部材４、第２ウエイト部材５、第３ウエイト部材６及び突起部材７の全てを、握り部材３に取り付けた構成を説明した。前記第２実施形態においては、第１ウエイト部材４、第２ウエイト部材５、第３ウエイト部材６及び第４ウエイト部材９の全てを、握り部材３に取り付けた構成を説明した。しかし、これに制限されない。例えば、第１ウエイト部材４、第２ウエイト部材５、第３ウエイト部材６、突起部材７及び第４ウエイト部材９のうちのいずれか１つ以上を、握り部材３に取り付ける構成としてもよい。
【００７３】
また、前記実施形態においては、握り部材３の材料は軽い素材であることが好ましいとしたが、これに制限されない。握り部材３の材料は、軽い素材に限定されず、重い素材、例えば、金属等であってもよい。第１ウエイト部材４、第２ウエイト部材５、第３ウエイト部材６及び第４ウエイト部材９それぞれの重量は、握り部材３の全体の重量よりも大きい方が好ましい。なお、握り部材３の材料は、全体が同一の比重でなくてもよく、内部で重量の配分を変えてもよい。握り部材３の材料が同一の比重であるときには、第１ウエイト部材４、第２ウエイト部材５、第３ウエイト部材６及び第４ウエイト部材９それぞれの比重は、握り部材３の比重よりも大きい方が好ましい。
【符号の説明】
【００７４】
１  運動補助器具
３  握り部材
４  第１ウエイト部材
５  第２ウエイト部材
６  第３ウエイト部材
７  突起部材（突出部）
８  親指ホルダー（ホルダー）
９  第４ウエイト部材
３１  凹溝（凹部）
【図１】
0006445865.tif 000002
【図２】
0006445865.tif 000003
【図３】
0006445865.tif 000004
【図４】
0006445865.tif 000005
【図５】
0006445865.tif 000006
【図６】
0006445865.tif 000007
【図７】
0006445865.tif 000008
【図８】
0006445865.tif 000009
【図９】
0006445865.tif 000010
【図１０】
0006445865.tif 000011
【図１１】
0006445865.tif 000012
【図１２】
0006445865.tif 000013
【図１３】
0006445865.tif 000014